(57)【要約】【課題】合い鍵の製作に際して、熟練を要することなく、提供を受けた鍵より切削溝の深さを読み取ってコード列を容易に解読できる、構成が簡単かつ可動部分も存在しない鍵の切削溝読取具を提供する。【解決手段】鍵の切削溝読取具１は、表面に鍵の撮み部が嵌り込む部分と鍵片部が嵌り込む部分とから成る鍵の嵌合穴８が凹設されている。前記嵌合穴８の鍵片部が嵌り込む部分には、鍵片部の側縁が全長にわたって当接する当接部９が設けられている。前記当接部９沿いには、全ての切削溝の位置に対応する位置に溝位置読取用の第１の目盛り１６が、前記当接部９に沿う嵌合穴８内には、切削溝の深さに対応する位置に溝深さ読取用の第２の目盛り１７が、それぞれ表されている。【選択図】図１
2006233544.tif 000002
【特許請求の範囲】
【請求項１】
鍵片部の少なくとも一側縁に切削溝が形成された鍵から切削溝の位置および深さを読み取るための鍵の切削溝読取具であって、表面に鍵の撮み部が嵌り込む部分と鍵片部が嵌り込む部分とから成る鍵の嵌合穴が凹設され、前記嵌合穴の鍵片部が嵌り込む部分には、鍵片部の側縁が全長にわたって当接する当接部が設けられており、前記当接部沿いには、全ての切削溝の位置に対応する位置に溝位置読取用の第１の目盛りが、前記当接部に沿う嵌合穴内には、切削溝の深さに対応する位置に溝深さ読取用の第２の目盛りが、それぞれ表されて成る鍵の切削溝読取具。
【請求項２】
前記嵌合穴は、表面に第１、第２の各目盛りが表された基板上に前記嵌合穴に相当する貫通孔が設けられた透明板を重ねて一体接合することにより形成されている請求項１に記載された鍵の切削溝読取具。
【請求項３】
前記第２の目盛りは、切削溝の深さの段階値毎に色分けして表されている請求項１または２に記載された鍵の切削溝読取具。
【発明の詳細な説明】
【技術分野】
【０００１】
この発明は、鍵の複製に際し、鍵からその鍵に切削された溝または刻み目（以下「切削溝」という。）の位置および深さを読み取るのに使用される鍵の切削溝読取具に関する。
【背景技術】
【０００２】
一般に鍵は、撮み部と鍵片部とから成る。前記鍵片部の少なくとも一側縁には、その鍵に固有の位置に、その鍵に固有の深さの切削溝が形成されている。一方、錠には固有の番号（以下、「鍵番号」という。）が設定されており、錠のメーカはこの鍵番号によって錠および鍵の管理を行っている。この鍵番号が分かれば、たとえサンプルとなる鍵がなくても、錠のメーカでは鍵の複製が可能である。
【０００３】
鍵番号により錠の種類（構造）が特定されるので、それがシリンダ錠であれば、ディスクの枚数、形状、位置（間隔）などが特定され、それに応じて、その錠に用いられる鍵の切削溝の数や位置が特定される。
ところで、鍵は切削溝の深さが数段階（例えば１〜４段階）に設定され、各段階は数字のコード（以下、「溝深さコード」という。）で示される。例えば、溝深さコードが「１」であれば溝深さは３ｍｍ、「２」であれば４ｍｍ、「３」であれば５ｍｍ、「４」であれば６ｍｍの如くである。この溝深さコードと切削溝の深さとの対応関係は錠の種類毎に異なっている。
【０００４】
前記の鍵番号によって錠の種類（構造）が特定されるだけでなく、その錠に用いられる鍵、すなわち、全ての切削溝の深さが特定される。通常、全ての切削溝の深さは、溝深さコードを切削溝数に相当する桁数だけ並べたコード列（数字列）によって示される。各切削溝の溝深さコードが分かれば、各切削溝の深さが分かり、該当する溝深さの切削溝を切削することができる。
【発明の開示】
【発明が解決しようとする課題】
【０００５】
錠のメーカでは、鍵番号とコード列との対照表を作成して保有している。したがって、鍵番号が分かれば、錠の種類（構造）とコード列を特定でき、鍵の複製が可能である。これに対し、合い鍵製造業者は、前記の対照表を保有していないから、たとえ鍵番号が分かっても、合い鍵の製作は不可能である。
【０００６】
従来の合い鍵切削機には、鍵のサンプルについて切削溝を倣いつつ鍵素材に溝を切削する方式のものと、前記コード列に基づいて鍵素材に溝を切削する方式のものとがある。
切削溝を倣う方式の機械は、切削溝の位置や深さを測定する必要がないから、合い鍵の製作が容易である反面、製作された合い鍵の品質は依頼者より提供を受けた鍵の善し悪しによって左右されるという問題がある。すなわち、提供を受けた鍵のサンプルが複製されたものであったり、長期の使用によって摩耗や変形したものであったりすると、適正かつ高精度な合い鍵を製作することが困難である。
【０００７】
これに対して、コード方式の機械は、提供を受けた鍵のサンプルよりコード列を解読する必要があるため、合い鍵の製作に熟練と手数を要するという問題はあるが、製作された合い鍵は提供を受けた鍵のサンプルの品質などの影響を受けず、適正かつ高精度の合い鍵が製作できるという利点がある。
このコード方式の合い鍵切削機がもつ技術課題を解決するために、鍵の切削溝の深さを測定するための治具も提案されているが（特許文献１参照）、この治具は、可動部分が多く、構造が著しく複雑であり、故障し易いという問題がある。
【０００８】
【特許文献１】実用新案登録第３０９４４５３号公報
【０００９】
この発明は、上記問題に着目してなされたもので、合い鍵の製作に際して、熟練を要することなく、提供を受けた鍵のサンプルより切削溝の深さを読み取ってコード列を解読できる、構成が簡単でありかつ可動部分もない鍵の切削溝読取具を提供することを目的とする。
【課題を解決するための手段】
【００１０】
この発明による切削溝読取具は、鍵片部の少なくとも一側縁に切削溝が形成された鍵から各切削溝の位置および深さを読み取るためのものであって、表面に鍵の撮み部が嵌り込む部分と鍵片部が嵌り込む部分とから成る鍵の嵌合穴が凹設されている。前記嵌合穴の鍵片部が嵌り込む部分には、鍵片部の側縁が全長にわたって当接する当接部が設けられている。前記当接部沿いには、全ての切削溝の位置に対応する位置に溝位置読取用の第１の目盛りが、前記当接部に沿う嵌合穴内には、切削溝の深さに対応する位置に溝深さ読取用の第２の目盛りが、それぞれ表されている。
【００１１】
この発明の上記した構成において、嵌合穴に鍵を嵌め込むと、撮み部および鍵片部は所定の部分にそれぞれ嵌り込む。鍵片部の側縁は全長にわたり当接部に当接するが、切削溝の位置では、鍵片部の側縁と当接部との間にその切削溝の深さに応じた隙間が発生し、その隙間に第２の目盛りが現れる。第１の目盛りによって切削溝の位置が、また、第２の目盛りよって切削溝の深さが、それぞれ読み取ることができる。
【００１２】
この発明の好ましい一実施態様においては、前記嵌合穴は、表面に第１、第２の各目盛りが表された基板上に前記嵌合穴に相当する貫通孔が設けられた透明板を重ねて一体接合することにより形成されている。この実施態様によると、前記嵌合穴の製作が容易であり、切削溝読取具を安価に製作できる。なお、嵌合穴は、鍵の撮み部が嵌り込む部分を貫通する穴に、鍵片部が嵌り込む部分を有底の穴に、それぞれ形成することもできる。
【００１３】
この発明の好ましい一実施態様においては、前記第２の目盛りは、切削溝の深さの段階値毎に色分けして表されている。この実施例によると、鍵片部と当接部との間に発生した隙間に現れる色ないし色数によって切削溝の深さが分かるので、溝深さの読み取りが一層容易となる。
【発明の効果】
【００１４】
この発明によれば、合い鍵の製作に際して、熟練を要することなく、提供を受けた鍵より切削溝の深さを読み取ってコード列を容易に解読することができる。また、構成が簡単であり、かつ可動部分もないから、故障の発生要因がなく、製作コストも安価である。
【発明を実施するための最良の形態】
【００１５】
図１はこの発明の一実施例である鍵の切削溝読取具１の外観を、図２は鍵の切削溝読取具１の使用状態を、それぞれ示している。
この発明による鍵の切削溝読取具１は、錠の種類毎に製作され、所定の種類の錠を対象として製作された切削溝読取具１を用いて、その錠に用いられる鍵２の切削溝５ａ〜５ｄの位置および深さを読み取るものである。図示例のものは全体が薄板状（厚みが３ｍｍ程度）に形成されているが、必ずしもそのような形態のものである必要はない。
なお、図示例の鍵２は、撮み部３と鍵片部４とから成り、鍵片部４の両側縁４Ａ，４Ｂに、切削溝の位置の基準となる段部４Ｃが形成されるとともに、各段部４Ｃの位置から固有の位置に固有の溝深さの切削溝５ａ〜５ｄがそれぞれ形成されている。
【００１６】
図示例の切削溝読取具１は、平面形状が矩形状のものであり、表面に前記鍵２が嵌り込む嵌合穴８が凹設されている。前記嵌合穴８は、撮み部３が嵌り込む広幅部８Ａと鍵片部４が嵌り込む小幅部８Ｂとが連ねられたものである。なお、図中、８Ｃは基準面であり、鍵２を嵌合穴８に嵌めるとき、この基準面８Ｃに鍵２の段部４Ｃを突き当てる。
前記嵌合穴８の小幅部８Ｂの両側縁は、鍵２の鍵片部４の両側縁４Ａ，４Ｂが全長にわたって当接する直線状の当接部９，９になっている。
【００１７】
この切削溝読取具１は、厚みが約１ｍｍの基板１０上に、厚みが約２ｍｍの合成樹脂製の透明板１１が一体接合されたものである。前記透明板１１には前記嵌合穴８に相当する貫通孔１２が設けられており、この透明板１１を基板１０上に重ねて接合したとき、前記貫通孔１２によって前記基板１０の表面を底面とする有底の嵌合穴８が形成される。
【００１８】
前記基板１０は、図３（３）に示す基板本体１３上に、図３（２）に示すような目盛り表示シート１４が、さらにその上に図３（１）に示すような表装シート１５が、それぞれ重ねられて一体接合されたものである。基板本体１３は適度な強度が得られるようにステンレスなどの金属板により形成されている。前記目盛り表示シート１４は表面に溝位置読取用の第１の目盛り１６と溝深さ読取用の第２の目盛り１７とが印刷により表されている。前記表装シート１５は、中央に切抜部１８を有し、その周囲の表面にデザインされた図柄や第２の目盛り１７に対応させる溝深さコード「１」〜「４」の文字が印刷により表されている。
【００１９】
基板本体１３上に目盛り表示シート１４を、その上に表装シート１５を、それぞれ順次重ねて接合することにより基板１０を製作する。その基板１０上にさらに透明板１１を重ねて接合することにより鍵の切削溝読取具１が完成する。
前記表装シート１５が目盛り表示シート１４上に重ねられたとき、切抜部１８内に第１、第２の各目盛り１６，１７が位置する。また、透明板１１を表装シート１５上に重ねたとき、第１の目盛り１６は透明板１１の下方に前記当接部９に沿って位置し、第２の目盛り１７は前記当接部９に沿う嵌合穴８内に位置する。第２の目盛り１７は第１の目盛り１６が表されている全範囲にわたる長さを有している。
【００２０】
第１の目盛り１６は、切削溝の位置に対応する位置に短い目盛線２０をそれぞれ表して構成されている。また、第２の目盛り１７は、切削溝の深さの段階値（図示例では１〜４段）階を色彩が異なる帯状の目盛線２１〜２４で表して構成されている。この実施例では、各目盛線２１〜２４の線幅はそれぞれ１ｍｍに設定してある。切削溝の深さが溝深さコードで「１」であることを示す最も外側の目盛線２１は赤色に設定されている。同様に、切削溝の深さが溝深さコードで「２」であることを示す次の目盛線２２は黄色に、切削溝の深さが溝深さコードで「３」であることを示す次の目盛線２３は緑色に、切削溝の深さが溝深さコードで「４」であることを示す最も内側の目盛線２４は青色に、それぞれ設定されている。
【００２１】
上記した構成を有する鍵の切削溝読取具１を用いて鍵２の各切削溝の位置および深さを読み取るには、基準面８Ｃに鍵２の段部４Ｃを突き当てるようにして嵌合穴８に鍵２を嵌め込む。撮み部３を広幅部８Ａに、鍵片部４を小幅部８Ｂに、それぞれ嵌め込んだとき、鍵２の鍵片部４の両側縁４Ａ，４Ｂは全長にわたって当接部９，９に当接する。
【００２２】
各切削溝５ａ〜５ｄの位置では、鍵片部４と当接部９との間に切削溝の形状および深さに応じた隙間ｄが発生し、その隙間ｄに第２の目盛り１７が現れる。図４に示す例では、切削溝５ｂの位置では、その隙間ｄから４本全ての目盛線２１〜２４が見えるので、この切削溝５ｂの深さは溝深さコードで「４」である。また他の切削溝５ｃの位置では、その隙間ｄから２本の目盛線２１，２２が見えるので、この切削溝５ｃの深さは溝深さコードで「２」である。
このように、各切削溝５ａ〜５ｄの深さは第２の目盛り１７によって読み取ることができる。また、各切削溝５ａ〜５ｄの位置は第１の目盛り１６によって読み取ることができる。
【図面の簡単な説明】
【００２３】
【図１】この発明の一実施例である鍵の切削溝読取具の斜視図である。
【図２】図１の鍵の切削溝読取具に鍵が嵌め込まれた状態を示す平面図である。
【図３】基板の構成を示す平面図である。
【図４】第２の目盛りの読取状態を示す拡大平面図である。
【符号の説明】
【００２４】
１    鍵の切削溝読取具
２    鍵
３    撮み部
４    鍵片部
８    嵌合穴
９    当接部
１０  基板
１１  透明板
１２  貫通孔
１６  第１の目盛り
１７  第２の目盛り
【図１】
2006233544.tif 000003
【図２】
2006233544.tif 000004
【図３】
2006233544.tif 000005
【図４】
2006233544.tif 000006